(57)【特許請求の範囲】
【請求項１】
被写体を撮影するカメラから離れた位置において閃光発光可能な閃光装置であって、
装置本体と、
前記装置本体に取り付けられ、前記被写体に照明光を照射するために閃光発光する閃光発光部と、
前記装置本体の前面に配置され、オートフォーカス補助光を照射する補助光発光部と、
前記装置本体の前面に突出して配置され、前記閃光発光部を閃光発光させるための充電が完了したことを撮影者に視認させるための光を照射する第１視認発光部とを備え、
前記装置本体をカメラから離れた位置で閃光発光させるためのリモートモードと、前記装置本体をカメラに取り付けて閃光発光させるためのマスタモードとを有し、
前記第１視認発光部は、前記マスタモード中に消灯することを特徴とする閃光装置。
【請求項２】
請求項１記載の閃光装置において、
前記装置本体の前面に前記補助光発光部および前記第１視認発光部を覆って配置されたカバー部材を備えていることを特徴とする閃光装置。
【請求項３】
請求項１記載の閃光装置において、
前記装置本体の前面における前記補助発光部の両側面側にそれぞれ配置された一対の前記第１視認発光部を備えていることを特徴とする閃光装置。
【請求項４】
請求項１記載の閃光装置において、
前記装置本体の側面に配置され、被写体を撮影するカメラ側から発光されるメイン閃光発光に同期して前記閃光発光部を閃光発光させるために、前記メイン閃光発光を受光する受光部を備え、
前記第１視認発光部は、前記装置本体の前面において前記補助光発光部に対して前記装置本体の前記受光部側に配置されることを特徴とする閃光装置。
【請求項５】
請求項１記載の閃光装置において、
前記充電が完了したことを撮影者に視認させるための光を照射するために、前記装置本体の背面に配置された第２視認発光部を備えていることを特徴とする閃光装置。
【請求項６】
請求項１記載の閃光装置において、
前記第１視認発光部は、前記充電が未完了の期間に消灯し、前記充電が完了してから前記閃光発光部が閃光発光するまでの期間に点灯および消灯を繰り返すことを特徴とする閃光装置。
【請求項７】
請求項１記載の閃光装置において、
前記第１視認発光部は、前記充電が未完了の期間に消灯し、前記充電が完了してから前記閃光発光部が閃光発光するまでの期間に点灯し続けることを特徴とする閃光装置。
【請求項８】
請求項１記載の閃光装置において、
前記第１視認発光部は、
指向性を有する光を照射する発光素子と、
前記発光素子の光照射方向の前面に配置され、前記発光素子から照射される光を拡散する拡散部材とを備えていることを特徴とする閃光装置。
【発明の詳細な説明】
【技術分野】
【０００１】
本発明は、カメラ側の閃光発光に同期して閃光発光するリモート閃光機能を有する閃光装置に関する。
【背景技術】
【０００２】
従来、複数の照明を用いて被写体を撮影するために、カメラから離れた位置に設置されるリモート閃光装置が開発されている。リモート閃光装置は、カメラに接続されるマスタ閃光装置の閃光発光を受光する受光部を有し、受光部による閃光発光の検出に同期して閃光発光する（例えば、特許文献１参照）。リモート閃光装置は、ワイヤレスで動作するため、撮影者は、カメラおよび被写体に対して所望の位置にリモート閃光装置を設置できる。したがって、被写体に照射される光量および照射の向きを自在に調整でき、様々な照明効果を得ることができる。
【０００３】
一般に、この種のリモート閃光装置は、撮影モードの切り替えにより、マスタ閃光装置としても使用することができる。すなわち、撮影の目的により、マスタ閃光装置およびリモート閃光装置のいずれにも使用できる閃光装置が製品化されている。
【０００４】
閃光装置は、内蔵するキャパシタに充電される電荷のエネルギーを利用して閃光発光する。充電が不十分の場合に閃光発光しても所望の光量は得られない。このため、閃光装置は、充電が完了したことを撮影者に示すレディライトを有している。従来の閃光装置では、マスタ閃光装置として使用させることを考慮し、レディライトは、閃光装置の背面に取り付けられている。撮影者は、レディライトの点灯により閃光装置の閃光発光が可能になったことを認識し、シャッターボタンを押下する。
【特許文献１】特開平１０−１７７２００号公報
【発明の開示】
【発明が解決しようとする課題】
【０００５】
リモート閃光装置は、補助照明としての効果を出すために、撮影者（カメラ）から見て被写体の側面や背面に設置されることが多い。このため、マスタ閃光装置の閃光発光を受光するリモート閃光装置の受光部は、一般に、リモート閃光装置の側面あるいは前面に設けられている。従来、リモート閃光装置が、カメラに接続されたマスタ閃光装置に側面あるいは前面を向けて設置される場合、撮影者は、リモート閃光装置の背面に取り付けられたレディライトの点灯を確認できなかった。すなわち、撮影者は、リモート閃光装置の充電の完了を認識できず、カメラのシャッターボタンを押下していいかを判断できなかった。
【０００６】
本発明の目的は、被写体を撮影するカメラと離れた位置に設置される閃光装置の充電の完了を、閃光装置の設置位置に拘わらず視認可能にすることにある。特に、充電の完了を知らせるレディライトの視認性を向上することにある。
【０００７】
本発明の別の目的は、マスタ閃光装置とリモート閃光装置とを兼用できる閃光装置をリモート閃光装置として使用するときに、閃光装置の充電の完了を、装置の設置位置に拘わらず認識可能にすることにある。
【課題を解決するための手段】
【０００８】
請求項１の閃光装置は、被写体を撮影するカメラから離れた位置において閃光発光可能な閃光装置であって、閃光発光部は、装置本体に取り付けられ、被写体に照明光を照射するために閃光発光する。補助光発光部は、装置本体の前面に配置され、オートフォーカス補助光を照射する。第１視認発光部は、装置本体の前面に突出して配置され、閃光発光部を閃光発光させるための充電が完了したことを撮影者に視認させるための光を照射する。また、上記の閃光装置は、装置本体をカメラから離れた位置で閃光発光させるためのリモートモードと、装置本体をカメラに取り付けて閃光発光させるためのマスタモードとを有する。第１視認発光部は、マスタモード中に消灯する。
【０００９】
請求項２の閃光装置では、カバー部材は、装置本体の前面に補助光発光部および第１視認発光部を覆って配置されている。
【００１０】
請求項３の閃光装置では、一対の第１視認発光部は、装置本体の前面における補助発光部の両側面側にそれぞれ配置されている。
【００１１】
請求項４の閃光装置では、受光部は、装置本体の側面に配置され、被写体を撮影するカメラ側から発光されるメイン閃光発光に同期して閃光発光部に閃光発光させるために、メイン閃光発光を受光する。第１視認発光部は、前記装置本体の前面において補助光発光部に対して装置本体の受光部側に配置される。
【００１２】
請求項５の閃光装置では、第２視認発光部は、充電が完了したことを撮影者に視認させるための光を照射するために、装置本体の背面に配置されている。
【００１６】
請求項６の閃光装置では、第１視認発光部は、充電が未完了の期間に消灯し、充電が完了してから閃光発光部が閃光発光するまでの期間に点灯および消灯を繰り返す。
【００１７】
請求項７の閃光装置では、第１視認発光部は、充電が未完了の期間に消灯し、充電が完了してから閃光発光部が閃光発光するまでの期間に点灯し続ける。
【００１８】
請求項８の閃光装置では、第１視認発光部は、発光素子および拡散部材を有している。発光素子は、指向性を有する光を照射する。拡散部材は、発光素子の光照射方向の前面に配置され、発光素子から照射される光を拡散する。
【発明の効果】
【００１９】
請求項１の閃光装置では、第１視認発光部が装置本体の前面に突出して配置される。第１視認発光部から照射される光は、装置本体の前方および側方に向けて進行する。このため、装置本体が、被写体を撮影するカメラから離れた位置でカメラに前面または側面を向けて配置される場合にも、撮影者は、閃光発光部を閃光発光させるための充電が完了したことを容易に視認できる。換言すれば、閃光装置の設置位置に拘わらず、撮影者は、カメラから離れることなく、閃光装置の充電の完了を視認できる。また、上記の閃光装置では、装置本体をカメラに取り付けて閃光発光させるマスタモード中、撮影者は、充電の完了を第２視認発光部から照射される光により確認できる。このため、第１視認発光部をマスタモード中に消灯することで、無駄な電力の消費を削減できる。
【００２０】
請求項２の閃光装置では、カバー部材により補助光発光部および第１視認発光部を覆うことで、防滴性を向上できる。補助光発光部および第１視認発光部に共通のカバー部材を配置できるため、部品コストを削減でき、装置を小型にできる。
【００２１】
請求項３の閃光装置では、装置本体の左右どちら側からでも、充電の完了を容易に視認できる。
【００２２】
請求項４の閃光装置では、閃光装置をカメラと離れた位置に設置する場合、閃光発光部をメイン閃光発光に同期して確実に閃光発光させるために、受光部が配置される側面をカメラ側に向けて設置することが多い。このとき、第１視認発光部が配置される側面もカメラに向く。したがって、装置本体が、被写体を撮影するカメラから離れた位置でカメラに側面を向けて配置される場合にも、撮影者は、閃光発光のための充電の完了を容易に視認できる。
【００２３】
請求項５の閃光装置では、第２視認発光部が装置本体の背面に配置されるため、第１および第２視認発光部により、充電の完了をどの方向からでも容易に視認できる。
【００２７】
請求項６の閃光装置では、第１視認発光部を、充電完了後に点滅させることで、点灯し続ける場合に比べて消費電力を削減できる。
【００２８】
請求項７の閃光装置では、第１視認発光部を、充電完了後に点灯し続けることで、視認性を向上できる。
【００２９】
請求項８の閃光装置では、第１視認発光部から光を、確実に前方および側方に向けて照射できる。この結果、前方および側方からの視認性をさらに向上できる。
【発明を実施するための最良の形態】
【００３０】
以下、本発明の実施形態を図面を用いて説明する。
【００３１】
図１〜図４は、本発明の閃光装置の第１の実施形態を示している。図１は、閃光装置１００の正面（前面）を示している。図２は、図１の閃光装置１００の左側面を示している。図３は、図１の閃光装置１００の右側面を示している。図４は、閃光装置１００の背面（裏面）を示している。
【００３２】
閃光装置１００は、カメラから離れた位置で閃光発光させるためのリモートモードと、
カメラに直接取り付けて閃光発光させるためのマスタモードとを有している。すなわち、閃光装置１００は、モードの設定により、カメラに直接接続されるマスタ閃光装置としてだけでなく、カメラから離れた位置に設置されるリモート閃光装置として機能する。
【００３３】
図１において、閃光装置１００は、装置本体１０および装置本体１０の上部Ｕに図１の左右方向および上下方向に回動自在に取り付けられた閃光発光部１２を有している。装置本体１０は、その前面Ｆの閃光発光部１２側に、フォーカス補助光を照射する一対の補助光発光部１４と、補助光発光部１４の左右両側に、一対のレディライト１６（第１視認発光部）とを有している。フォーカス補助光は、カメラが被写体のフォーカスを合わせるときに発光させる。
【００３４】
各補助光発光部１４は、ＬＥＤと、ＬＥＤの前面に取り付けられたレンズとで構成されている。例えば、図１の左側の補助光発光部１４のレンズには、横縞の照射パターンが形成されており、右側の補助光発光部１４のレンズには、縦縞の照射パターンが形成されている。そして、補助光発光部１４が発光したときに被写体等に照射される横縞パターンおよび縦縞パターンにより、被写体のフォーカスが合わせられる。補助光発光部１４のＬＥＤは、被写体等にパターンを照射するために、その発光量および消費電力は、後述するレディライト１６、３２のＬＥＤより大きい。
【００３５】
レディライト１６は、装置本体１０の左側面Ｌおよび右側面Ｒにそれぞれ近接する位置に取り付けられており、閃光発光部１２を閃光発光させるために図示しないキャパシタへの充電が完了したことを撮影者に視認させるために光を照射する。具体的には、レディライト１６は、充電が未完了の期間に消灯し、充電が完了してから閃光発光部１２が閃光発光するまでの期間に点灯および消灯を繰り返す。また、レディライト１６は、閃光装置１００がマスタモードに設定されているとき、常に消灯する。装置本体１０をカメラに取り付けて閃光発光させるマスタモード中、撮影者は、充電の完了を装置本体１０の背面Ｂに取り付けられたレディライト３２（図４参照）により確認できる。このため、レディライト１６をマスタモード中に消灯することで、無駄な電力の消費を削減できる。
【００３６】
図２および図３に示すように、各レディライト１６は、ＬＥＤ１６ａ（発光素子）とＬＥＤ１６ａの光照射方向の前面に取り付けられた拡散部材１６ｂとで構成されている。ＬＥＤ１６ａは、光を前方Ｆに向けて照射する指向性を有している。拡散部材１６ｂは、ほぼ半球形状を有しており、装置本体１０の前面Ｆ（後述するカバー部材１８を除く）から突出して配置されている。拡散部材１６ｂは、ＬＥＤ１６ａから照射される指向性の強い光を、前方Ｆ、左側方Ｌおよび右側方Ｒに拡散する。すなわち、レディライト１６からの光は、装置本体１０の背面Ｂ側を除く方向に向けて放射状に照射される。このため、レディライト１６の前方Ｆ、左側方Ｌおよび右側方Ｒからの視認性を向上できる。
【００３７】
装置本体１０の前面Ｆには、補助光発光部１４およびレディライト１６を覆って、カバー部材１８が接着されている。カバー部材１８は、赤色の透明樹脂により形成されている。図２および図３に示すように、カバー部材１８は、断面がほぼコ字状に形成されている。このため、拡散部材１６ｂにより左側方Ｌおよび右側方Ｒに向けて拡散する光は、カバー部材１８を透過して、装置本体１０から放射状に進行する。カバー部材１８を補助光発光部１４およびレディライト１６に共通にすることで、部品コストを削減できる。また、レディライト１６専用のカバー部材を追加する必要がないため、装置本体の接着箇所を最小限にでき、防滴性が低下することを防止できる。なお、図１では、説明を分かり易くするためにカバー部材１８の左側を切り欠いて記載している。
【００３８】
図２に示すように、装置本体１０の左側面Ｌには、受光部２０（光センサ）が形成されている。受光部２０は、リモートモード中に図示しないカメラに接続されるマスタ閃光装
置の閃光発光を受光する。また、装置本体１０の左側面Ｌには、受光部２０を覆ってカバー部材２２が接着されている。カバー部材２２は、赤色の透明樹脂により形成されている。
【００３９】
装置本体１０の左側面Ｌには、電池を出し入れするための電池蓋２４が着脱自在に取り付けられている。電池の交換は、電池蓋２４を装置本体１０の下部Ｄ側にスライドさせることでロックを解除し、装置本体１０から取り外すことで行う。また、装置本体１０の下部Ｄには、装置本体１０を専用スタンド、三脚取付用アダプタ、またはカメラのアクセサリシューに取り付けるための取り付け脚２６およびロックレバー２８を有している。
【００４０】
図２に示すように、閃光発光部１２の左側面Ｌには、プッシュボタンPUSHが形成されている。プッシュボタンPUSHを押している間、閃光発光部１２を装置本体１０に対して左右方向および上下方向に回動できる。すなわち、閃光装置１００は、左右バウンス機能および上下バウンス機能を有している。
【００４１】
図４に示すように、装置本体１０の背面Ｂには、液晶表示部３０、レディライト３２（第２視認発光部）、フラッシュボタン３４、電源キー３６および十字キー３８を有している。また、閃光発光部１２の背面には、上下方向のバウンス角度を示す目盛りが刻まれている。
【００４２】
液晶表示部３０は、撮影モードの設定時の設定画面等を表示する。レディライト３２（第２視認発光部）は、閃光発光部１２を閃光発光させるために図示しないキャパシタへの充電が完了したことを撮影者に視認させるために光を照射する。具体的には、レディライト３２は、充電が未完了の期間に消灯し、充電が完了してから閃光発光部１２が閃光発光するまでの期間に点灯し続ける。
【００４３】
フラッシュボタン３４は、テスト発光ボタンとして機能する。フラッシュボタン３４が押下されると、閃光発光部１２は、その時点でキャパシタに充電されている電荷を用いて閃光発光する。電源キー３６は、閃光装置１００の電源オフ中に電源をオンするときに押下され、閃光装置１００の電源オン中に電源をオフするときに押下される。
【００４４】
十字キー３８は、液晶表示部３０に表示される設定項目を選択するための機能と、閃光装置１００の状態を直接制御する機能を併せ持っている。例えば、十字キー３８の４つのキーは、ズームキー「ZOOM」およびマイナスキー「−」を同時に押下し、液晶表示部３０に設定画面が表示された後は（設定モード中）、再びズームキー「ZOOM」およびマイナスキー「−」を同時に押下するまで、設定項目を選択する上下左右キーとして機能する。また、設定モード中以外では、十字キー３８のズームキー「ZOOM」は、閃光発光部１２から照射される光の照射角度を調整するキーとして機能し、十字キー３８のプラスキー「＋」およびマイナスキー「−」は、閃光発光部１２の発光量を調整するキーとして機能し、十字キー３８のモードキー「MODE」は、調光モードを選択するキーとして機能する。
【００４５】
図５および図６は、第１の実施形態の閃光装置を使用したワイヤレス増灯撮影の一例を示している。この例では、閃光装置１００は、カメラ２００から見て被写体の左側方に設置されている。閃光装置１００は、リモートモードに設定されており、リモート閃光装置として機能する。カメラ２００には、マスタ閃光装置３００が直接取り付けられている。通常、撮影者は、カメラ２００の背面側に立って被写体を撮影する。このとき、撮影者は、閃光装置１００の背面Ｂのレディライト３２を視認できないが、閃光装置１００の左側面Ｌ側のレディライト１６にを容易に視認できる。そして、撮影者は、レディライト１６の点滅により閃光装置１００の充電完了を認識した後、カメラ２００のシャッターボタンを押下する。マスタ閃光装置３００は、シャッターボタンの押下に同期して閃光発光する
。閃光装置１００は、受光部２０でマスタ閃光装置３００の閃光発光を検出し、この検出に同期して閃光発光する。すなわち、ワイヤレス増灯撮影が実施される。
【００４６】
図７は、第１の実施形態の閃光装置を使用したワイヤレス増灯撮影の別の例を示している。この例では、閃光装置１００は、カメラ２００から見て被写体の左後方に設置されている。このように、閃光装置１００により逆光状態で撮影するとき、撮影者は、装置本体１０の背面Ｂにあるレディライト３２を視認できない。しかし、装置本体１０の前面Ｆにある２つのレディライト１６により充電の完了を容易に視認できる。なお、受光部２０がマスタ閃光装置３００の閃光発光を検出しにくいとき、装置本体１０のみを図の反時計方向に回すことで、受光部２０をカメラ２００に対向させることができる。このとき、図６と同様に、撮影者は、少なくとも閃光装置１００の左側面Ｌ側のレディライト１６を視認できる。
【００４７】
図８および図９は、第１の実施形態の閃光装置を使用したワイヤレス増灯撮影の別の例を示している。この例では、閃光装置１００は、カメラ２００から見て被写体の右後方に設置されている。装置本体１０は、受光部２０をカメラ２００に向けるために、前面Ｆを図の右側に向けて設置されている。閃光発光部１２は、光の照射方向（図の矢印）を被写体に向けている。この場合、撮影者は、装置本体１０の前面Ｆにあるレディライト１６ではなく、装置本体１０の背面Ｂにあるレディライト３２により充電の完了を視認し、被写体を撮影する。なお、レディライト３２の視認性が悪いときには、図９に示すように、装置本体１０のみを図の時計方向に回すことで、撮影者は、装置本体１０の背面Ｂに埋め込まれたレディライト３２ではなく、装置本体１０の前面Ｆから突出しているレディライト１６を視認できる。すなわち、レディライトの視認性は、装置本体１０のカメラ２００に対する向きを少し調整するだけで大幅に向上する。
【００４８】
図１０および図１１は、第１の実施形態の閃光装置を使用したワイヤレス増灯撮影の別の例を示している。この例では、閃光装置１００は、カメラ２００から見て被写体の右側方に設置されている。装置本体１０は、受光部２０をカメラ２００に対向させるために回動されており、レディライト１６は、閃光発光部１２の光の照射方向と逆に向いている。この場合、撮影者は、装置本体１０の背面Ｂにあるレディライト３２により充電の完了を視認し、被写体を撮影する。
【００４９】
レディライト３２の視認性が悪いときには、上述した図９と同様に、装置本体１０のみを図の時計方向に回すことで、撮影者は、装置本体１０の背面Ｂに埋め込まれたレディライト３２ではなく、装置本体１０の前面Ｆから突出しているレディライト１６を視認できる。また、受光部２０が、カメラ２００に取り付けられたマスタ閃光装置３００の閃光発光を、被写体の後方にある壁面からの反射により検出可能なとき、図１１に示すように、受光部２０を壁面に向けてもよい。この場合、撮影者は、装置本体１０の前面Ｆから突出しているレディライト１６を視認できる。
【００５０】
図１２は、第１の実施形態の閃光装置を使用したワイヤレス増灯撮影の別の例を示している。この例では、閃光装置１００は、カメラ２００から見て被写体の右前方に設置されている。装置本体１０は、受光部２０をカメラ２００に対向させるために回動されており、レディライト１６は、閃光発光部１２の光の照射方向と逆に向いている。この場合、撮影者は、装置本体１０の前面Ｆにあるレディライト１６により充電の完了を視認できる。
【００５１】
以上、本実施形態では、装置本体１０に、前面Ｆに突出するレディライト１６を取り付けることで、装置本体１０が、被写体を撮影するカメラから離れた位置でカメラに前面Ｆまたは側面Ｌ、Ｒを向けて配置される場合にも、撮影者は、閃光発光部１２を閃光発光させるための充電が完了したことを、容易に視認できる。特に、一対のレディライト１６を
装置本体１０の前面Ｆの左右両側に配置することで、充電の完了を装置本体１０の左側面Ｌおよび右側面Ｒのどちらからでも確実に視認できる。さらに、装置本体１０の背面Ｂに配置されたレディライト３２によっても、撮影者は、充電の完了を視認できる。この結果、閃光装置１００の設置位置に拘わらず、撮影者は、カメラから離れることなく、閃光装置１００の充電の完了を視認できる。
【００５２】
カバー部材１８により、補助光発光部１４およびレディライト１６の防滴性を向上できる。カバー部材１８を補助光発光部１４およびレディライト１６に共通にできるため、部品コストを削減でき、閃光装置１００を小型にできる。
【００５３】
レディライト１６を、充電完了後に点滅させることで、点灯し続ける場合に比べて消費電力を削減できる。レディライト１６をマスタモード中に消灯することで、無駄な電力の消費を削減できる。
【００５４】
図１３は、本発明の閃光装置の第２の実施形態を示している。第１の実施形態で説明した要素と同一の要素については、同一の符号を付し、これ等については、詳細な説明を省略する。この実施形態では、第１の実施形態の装置本体１０の代わりに装置本体１０Ａが形成されている。装置本体１０Ａは、カバー部材１８内に１個のレディライト１６を有している。レディライト１６は、補助光発光部１４に対して受光部２０側に配置されている。その他の構成は、第１の実施形態と同じである。
【００５５】
装置本体１０Ａをカメラと離れた位置に配置する場合、閃光発光部１２をメイン閃光発光に同期して確実に閃光発光させるために、受光部２０をカメラ側に向けて配置することが多い。このとき、レディライト１６が配置される左側面Ｌもカメラに向く。撮影者は、前面Ｆから突出するレディライト１６の点滅を左側面Ｌ側から視認できる。したがって、装置本体１０Ａが、被写体を撮影するカメラから離れた位置でカメラに側面Ｌを向けて配置される場合にも、撮影者は、閃光発光のための充電の完了を容易に視認できる。
【００５６】
以上、この実施形態においても第１の実施形態と同様の効果を得ることができる。
【００５７】
図１４および図１５は、本発明の閃光装置の第３の実施形態を示している。第１の実施形態で説明した要素と同一の要素については、同一の符号を付し、これ等については、詳細な説明を省略する。この実施形態では、第１の実施形態の装置本体１０の代わりに装置本体１０Ｂが形成されている。装置本体１０Ｂは、受光部２０に近接する位置に１個のレディライト１７を有している。補助光発光部１４を覆うカバー部材１８内には、レディライトは配置されていない。その他の構成は、左側面Ｌの構造を除き第１の実施形態と同じである。
【００５８】
レディライト１７は、装置本体１０Ｂの左側面Ｌから突出する位置に取り付けられており、閃光発光部１２を閃光発光させるために図示しないキャパシタへの充電が完了したことを撮影者に視認させるために光を照射する。具体的には、レディライト１７は、充電が未完了の期間に消灯し、充電が完了してから閃光発光部１２が閃光発光するまでの期間に点灯および消灯を繰り返す。レディライト１７は、第１の実施形態のレディライト１６と同様に、ＬＥＤ（発光素子）とＬＥＤの光照射方向の前面に取り付けられた拡散部材とで構成されている。ＬＥＤおよび拡散部材は、第１の実施形態と同じ部品が使用される。すなわち、拡散部材は、ＬＥＤから照射される指向性の強い光を、左側方Ｌ、前方Ｆおよび後方Ｂに拡散する。
【００５９】
装置本体１０Ｂの側面Ｌには、レディライト１７および受光部２０を覆ってカバー部材２３が接着されている。カバー部材２３は、側面Ｌから突出するレディライト１７を覆う
ために、断面がほぼコ字状に形成されている。カバー部材２３の材質は、第１の実施形態のカバー部材２２と同じである。このため、拡散部材１６ｂにより拡散する光は、カバー部材２３を透過して、装置本体１０Ｂの左側方Ｌ、前方Ｆおよび後方Ｂに向けて放射状に進行する。
【００６０】
装置本体１０Ａをカメラと離れた位置に配置する場合、閃光発光部１２をメイン閃光発光に同期して確実に閃光発光させるために、受光部２０をカメラ側に向けて配置することが多い。このとき、レディライト１７が配置される左側面Ｌもカメラに向く。このため、レディライト１７を受光部２０と同じ面に配置することで、装置本体１０Ｂが、被写体を撮影するカメラから離れた位置でカメラに側面Ｌを向けて配置される場合に、撮影者は、閃光発光のための充電の完了を容易に視認できる。
【００６１】
閃光発光部１２は、装置本体１０Ｂに対して左右方向に回動できるため、受光部２０およびレディライト１７をカメラ側に向けた状態で、閃光発光部１２を任意の位置に向けることができる。換言すれば、被写体に対して、カメラおよび閃光装置を任意の位置にそれぞれ配置した状態で、常に、レディライト１７の発光を認識でき、かつカメラ側からのマスタ閃光発光を受光部２０で受光できる。
【００６２】
以上、この実施形態においても第１の実施形態と同様の効果を得ることができる。
【００６３】
なお、上述した実施形態では、充電が完了してから閃光発光部１２が閃光発光するまでの期間に、レディライト１６（または１７）が点灯および消灯を繰り返す例について述べた。本発明はかかる実施形態に限定されるものではない。例えば、充電が完了してから閃光発光部１２が閃光発光するまでの期間に、レディライト１６または１７が点灯し続けてもよい。この場合、レディライト１６、１７の視認性を向上できる。
【００６４】
上述した第１および第２の実施形態では、カバー部材１８を装置本体１０、１０Ａの前面Ｆの一部を覆う形状にする例について述べた。本発明はかかる実施形態に限定されるものではない。例えば、カバー部材を装置本体１０Ａの前面Ｆから側面Ｌ、Ｒの一部を覆う形状としてもよい。この場合、レディライト１６の側面Ｌ、Ｒからの視認性をさらに向上できる。
【００６５】
上述した実施形態では、レディライト１６（または１７）を、指向性を有する光を照射するＬＥＤと、ＬＥＤの光照射方向の前面に配置される拡散部材とで構成する例について述べた。本発明はかかる実施形態に限定されるものではない。例えば、レディライトを、光の照射方向の指向性を有しないＬＥＤのみを用いて形成し、このＬＥＤを装置本体から突出して取り付けてもよい。
【００６６】
上述した実施形態では、本発明を、マスタ閃光発光を受光する受光部を有する閃光装置に適用し、ワイヤレス増灯撮影に使用する例について述べた。本発明はかかる実施形態に限定されるものではない。例えば、本発明を、マスタ閃光発光の同期信号を信号線を介して受信するコネクタを有する閃光装置に適用してもよい。すなわち、本発明を、有線による増灯撮影が可能なリモート閃光装置に適用してもよい。
【００６７】
以上、本発明について詳細に説明してきたが、上記の実施形態およびその変形例は発明の一例に過ぎず、本発明はこれに限定されるものではない。本発明を逸脱しない範囲で変形可能であることは明らかである。
【図面の簡単な説明】
【００６８】
【図１】本発明の閃光装置の第１の実施形態を示す正面図である。
【図２】本発明の閃光装置の第１の実施形態を示す左側面図である。
【図３】本発明の閃光装置の第１の実施形態を示す右側面図である。
【図４】本発明の閃光装置の第１の実施形態を示す背面図である。
【図５】第１の実施形態において、閃光装置を使用したワイヤレス増灯撮影一例を示す説明図である。
【図６】図５を別の向きから見た状態を示す示す説明図である。
【図７】第１の実施形態において、閃光装置を使用したワイヤレス増灯撮影別の例を示す説明図である。
【図８】第１の実施形態において、閃光装置を使用したワイヤレス増灯撮影別の例を示す説明図である。
【図９】第１の実施形態において、閃光装置を使用したワイヤレス増灯撮影別の例を示す説明図である。
【図１０】第１の実施形態において、閃光装置を使用したワイヤレス増灯撮影別の例を示す説明図である。
【図１１】第１の実施形態において、閃光装置を使用したワイヤレス増灯撮影別の例を示す説明図である。
【図１２】第１の実施形態において、閃光装置を使用したワイヤレス増灯撮影別の例を示す説明図である。
【図１３】本発明の閃光装置の第２の実施形態を示す正面図である。
【図１４】本発明の閃光装置の第３の実施形態を示す正面図である。
【図１５】本発明の閃光装置の第３の実施形態を示す左側面図である。
【符号の説明】
【００６９】
１０  装置本体
１０Ａ  装置本体
１０Ｂ  装置本体
１２  閃光発光部
１４  補助光発光部
１６  レディライト
１６ａ  ＬＥＤ
１６ｂ  拡散部材
１７  レディライト
１８  カバー部材
２０  受光部
２２  カバー部材
２３  カバー部材
２４  電池蓋
２６  取り付け脚
２８  ロックレバー
３０  液晶表示部
３２  レディライト
３４  フラッシュボタン
３６  電源キー
３８  十字キー
１００  閃光装置
２００  カメラ
３００  マスタ閃光装置
Ｂ  背面、後方
Ｄ  下部
Ｆ  前面、前方
Ｌ  左側面、左側方
Ｒ  右側面、右側方
Ｕ  上部
【図１】
0004622241.tif 000002
【図２】
0004622241.tif 000003
【図３】
0004622241.tif 000004
【図４】
0004622241.tif 000005
【図５】
0004622241.tif 000006
【図６】
0004622241.tif 000007
【図７】
0004622241.tif 000008
【図８】
0004622241.tif 000009
【図９】
0004622241.tif 000010
【図１０】
0004622241.tif 000011
【図１１】
0004622241.tif 000012
【図１２】
0004622241.tif 000013
【図１３】
0004622241.tif 000014
【図１４】
0004622241.tif 000015
【図１５】
0004622241.tif 000016